(57)【要約】【課題】構造物において回転軸を支持しているベアリングユニットを当該構造物および当該回転軸から取り外すために有用な補助具を提供する。【解決手段】補助具１００は、構造物４０において回転軸５０を支持しているベアリングユニット２５を構造物４０および回転軸５０から取り外すために使用される。補助具１００は、ベアリングユニット２５の内輪１２に嵌められるリング部１０１と、ベアリングプーラー２００の爪２０２が引っ掛けられるフランジ部１０２とが一体化され、リング部１０１が、リング部１０１の半径方向に貫通した貫通孔１０４を有する。内輪１２は、内輪１２を回転軸５０に固定するための雌ねじを有し、貫通孔１０４は、貫通孔１０４を通して雌ねじに雄ねじをねじ込むことができるように配置されている。【選択図】図６
2012026479.tif 000002
【特許請求の範囲】
【請求項１】
構造物において回転軸を支持しているベアリングユニットを前記構造物および前記回転軸から取り外すための補助具であって、
前記ベアリングユニットの内輪に嵌められるリング部と、ベアリングプーラーの爪が引っ掛けられるフランジ部とが一体化され、前記リング部が、前記リング部の半径方向に貫通した貫通孔を有し、
前記内輪は、前記内輪を前記回転軸に固定するための雌ねじを有し、前記貫通孔は、前記貫通孔を通して前記雌ねじに雄ねじをねじ込むことができるように配置され、
前記補助具は、前記雄ねじの一部が前記雌ねじにねじ込まれ前記雄ねじの他の一部が前記貫通孔の中に位置する状態で、前記ベアリングプーラーによって前記補助具とともに前記ベアリングユニットが前記構造物および前記回転軸から取り外されるように構成されている、
ことを特徴とする補助具。
【請求項２】
前記リング部が、前記リング部の半径方向に貫通し雌ねじが形成されたねじ付貫通孔を更に有する、
ことを特徴とする請求項１に記載の補助具。
【発明の詳細な説明】
【技術分野】
【０００１】
本発明は、構造物において回転軸を支持しているベアリングユニットを当該構造物および当該回転軸から取り外すための補助具に関する。
【背景技術】
【０００２】
コンベアなどの構造物において回転軸を支持しているベアリングユニットは、それが破損したとき、あるいは、定期的なメンテナンスなどにおいて構造物から取り外されうる。特許文献１には、機械装置に取り付けられているケース付きのベアリングを取り外すためのベアリング取り外し装置が開示されている。
【先行技術文献】
【特許文献】
【０００３】
【特許文献１】実開平５−６３７７３号公報
【発明の概要】
【発明が解決しようとする課題】
【０００４】
ベアリングユニットの内輪から回転軸を引き抜いた後にベアリングユニットを構造物から取り外すことは容易である場合が多いが、回転軸が他のベアリングユニットなどによって支持された状態で構造物および回転軸からベアリングユニットを取り外すことは困難である場合が多い。特に、水、オイル、埃などが存在する環境下で長期間にわたって使用されると、ベアリングユニットのマウントが構造物の取り付け面に癒着したり、ベアリングユニットの内輪が回転軸の表面に癒着したりしうる。このような場合には、構造物および回転軸からベアリングユニットを取り外すことは非常に困難になる。
【０００５】
図１には、ボルト３０によって構造物４０に取り付けられたベアリングユニット２５によって回転軸５０が支持された構成が例示されている。ベアリングユニット２５は、ベアリング１０と、ベアリング１０を構造物４０に取り付けるためのマウント２０とを含む。ベアリング１０は、例えば、内輪１２と、外輪１４と、それらの間に保持される転動体（例えば、ボール）１６とを含みうる。回転軸５０は、内輪１２に挿入され内輪１２によって支持される。
【０００６】
図１に示す構造物４０および回転軸５０からベアリングユニット２５を取り外す場合には、従来は、ボルト３０を取り外した後に、例えば、矢印に示すように、構造物４０とマウント２０との間に薄い工具（例えば、マイナスドライバ）を挿入することによって構造物４０とマウント２０との間に隙間を確保し、その隙間にベアリングプーラーの爪を挿入していた。このような作業においては、工具が破損したり、構造物４０やマウント２０が破損したりしうる。
【０００７】
本発明は、上記のような作業性の悪さを改善するためになされたものであり、構造物において回転軸を支持しているベアリングユニットを当該構造物および当該回転軸から取り外すために有用な補助具を提供することを目的とする。
【課題を解決するための手段】
【０００８】
本発明は、構造物において回転軸を支持しているベアリングユニットを前記構造物および前記回転軸から取り外すための補助具に係り、前記補助具は、前記ベアリングユニットの内輪に嵌められるリング部と、ベアリングプーラーの爪が引っ掛けられるフランジ部とが一体化され、前記リング部が、前記リング部の半径方向に貫通した貫通孔を有し、前記内輪は、前記内輪を前記回転軸に固定するための雌ねじを有し、前記貫通孔は、前記貫通孔を通して前記雌ねじに雄ねじをねじ込むことができるように配置され、前記補助具は、前記雄ねじの一部が前記雌ねじにねじ込まれ前記雄ねじの他の一部が前記貫通孔の中に位置する状態で、前記ベアリングプーラーによって前記補助具とともに前記ベアリングユニットが前記構造物および前記回転軸から取り外されるように構成されている。
【発明の効果】
【０００９】
本発明によれば、構造物において回転軸を支持しているベアリングユニットを当該構造物および当該回転軸から取り外すために有用な補助具が提供される。
【図面の簡単な説明】
【００１０】
【図１】課題を説明するための図。
【図２】ベアリングユニットの取り外し手順を説明する図。
【図３】ベアリングユニットの取り外し手順および補助具の構成を説明する図。
【図４】ベアリングユニットの取り外し手順および補助具の構成を説明する図。
【図５】ベアリングユニットの取り外し手順および補助具の構成を説明する図。
【図６】ベアリングユニットの取り外し手順および補助具の構成を説明する図。
【図７】ベアリングユニットの取り外し手順および補助具の構成を説明する図。
【図８】補助具の構成を説明する図。
【発明を実施するための形態】
【００１１】
以下、添付図面を参照しながら本発明の好適な実施形態を説明する。
【００１２】
図２に例示されるように、ベアリングユニット２５は、ベアリング１０と、ベアリング１０を構造物４０に取り付けるためのマウント２０とを含む。ベアリング１０は、例えば、内輪１２と、外輪１４と、それらの間に保持される転動体（例えば、ボール）１６とを含みうる。回転軸５０は、内輪１２に挿入され内輪１２によって支持される。回転軸５０は、典型的には、内輪１２に設けられた少なくとも１つの雌ねじ１３に雄ねじ（例えば、セットボルト）１５０をねじ込むことによって内輪１２に連結されうる。
【００１３】
以下、図２〜図８を参照しながら構造物４０において回転軸５０を支持しているベアリングユニット２５を構造物４０および回転軸５０から取り外す手順およびそのために有用な補助具１００を例示的に説明する。まず、図２に矢印で示すように、ベアリングユニット２５のマウント２０を構造物４０に固定しているボルト３０を取り外すとともに、ベアリング１０の内輪１２から回転軸５０を固定するための全ての雄ねじ１５０を取り外す。回転軸５０を固定する雄ねじ１５０は、典型的には、１又は２つであるが、より多い数である場合もありうる。
【００１４】
次に、図３〜図５に例示するように、補助具１００を内輪１２に装着する。補助具１００は、構造物４０において回転軸５０を支持しているベアリングユニット２５を構造物４０および回転軸５０から取り外すためのツールである。補助具１００は、ベアリングユニット２５の内輪１２に嵌められるリング部１０１と、ベアリングプーラーの爪が引っ掛けられるフランジ部１０２とが一体化された構造を有する。リング部１０１には、リング部１０１の半径方向に貫通した少なくとも１つの貫通孔１０４が形成されている。貫通孔１０４は、貫通孔１０４を通して内輪１２の雌ねじ１３に雄ねじ１５１をねじ込むことができるように配置されている。図８は、補助具１００を軸方向から見た図であり、図８に示す例では、２つの貫通孔１０４と、ねじ付貫通孔１０５とがリング部１０１に設けられている。
【００１５】
図４に例示するように内輪１２に補助具１００のリング部１０１を嵌めた後に、図５に例示するように貫通孔１０４を通して内輪１２の雌ねじ１３に雄ねじ（例えば、セットボルト、キャップボルトなど）１５１がねじ込まれる。ここで、雄ねじ１５１は、その一部が雌ねじ１３にねじ込まれ、他の一部が貫通孔１０４の中に位置するように、雌ねじ１３にねじ込まれる。これは、補助具１００を回転軸５０に対して移動させる際に、補助具１００とともに内輪１２が移動するようにするためである。なお、雄ねじ１５１は、その先端が回転軸５０に接触しないように雌ねじ１３にねじ込まれる。図８に例示するようにねじ付貫通孔１０５がリング部１０１に設けられている場合には、ねじ付貫通孔１０５にも雄ねじをねじ込んで補助具１００を内輪１２に固定することが望ましい。
【００１６】
次いで、図６に例示するように、ベアリングプーラー２００の爪２０２をフランジ部１０２に引っ掛けて、ベアリングプーラー２００のハンドル２０４を回転させる。これによって、図７に例示されるように、雄ねじ１５１の一部が雌ねじ１３にねじ込まれ、雄ねじ１５１の他の一部が貫通孔１０４の中に位置する状態で、ベアリングプーラー２００によって補助具１００とともにベアリングユニット２５が構造物４０および回転軸５０から取り外される。
【００１７】
その後、雌ねじ１３にねじ込まれた雄ねじ１５１（および、ねじ付貫通孔１０５にねじ込まれた雄ねじ）を取り外すことによってベアリングユニット２５から補助具１００を取り外すことができる。
【００１８】
以上のような補助具１００を用いることにより、従来のように構造物４０とマウント２０との間に工具を挿入する必要がなく、簡単にベアリングユニット２５を構造物４０および回転軸５０から取り外すことができる。また、ベアリングユニット２５の内輪１２に形成された雌ねじ１３を利用して補助具１００を内輪１２に係合させることによって補助具１００の移動にともなってベアリングユニット２５を確実に移動させることができる。
【符号の説明】
【００１９】
１０  ベアリング
１２  内輪
１４  外輪
２０  マウント
２５  ベアリングユニット
３０  ボルト
４０  構造物
５０  回転軸
１００  補助具
１０１  リング部
１０２  フランジ部
１０４  貫通孔
１０５  ねじ付貫通孔
２００  ベアリングプーラー
２０２  爪
２０４  ハンドル
【図１】
2012026479.tif 000003
【図２】
2012026479.tif 000004
【図３】
2012026479.tif 000005
【図４】
2012026479.tif 000006
【図５】
2012026479.tif 000007
【図６】
2012026479.tif 000008
【図７】
2012026479.tif 000009
【図８】
2012026479.tif 000010